(57)【要約】      （修正有）【課題】樹木径の測定、記録、及び調査済みの印をつける作業を一度に行う樹木径測定装置を提供する。【解決手段】樹木の幹に巻付ける帯状のテープ１０を収容するテープ収容部２１と、テープ収容部２１から引き出されるテープ長を測定する測定部３３と、テープ長から樹木径を算出する制御部と、樹種を入力する操作部７０と、樹木径と樹種とを対応づけて記憶する記憶部と、移動経路３０内に位置するテープ１０の中間部とテープ１０の先端部１０ａとが重なったオーバーラップ部分１０ｂを一体化する熱溶着部４５と、オーバーラップ部分１０ｂよりもテープ１０の移動方向上流側に位置するテープ部分１０ｃを切断する切断部３９と、を備える。【選択図】図２
2017075908.tif 000002
【特許請求の範囲】
【請求項１】
樹木の直径を測定する樹木径測定装置であって、
前記樹木の幹に巻付ける帯状のテープを収容するテープ収容部と、
前記テープ収容部から引き出されるテープ長を測定する測定手段と、
前記測定手段が測定したテープ長から樹木径を算出する演算手段と、
測定対象となる樹木の樹種を入力する入力手段と、
前記樹木径と前記樹種とを対応づけて記憶する記憶手段と、
前記テープ収容部から引き出された前記テープが移動する移動経路と、
前記移動経路のテープ移動方向下流端に配置され、装置外に前記テープを引き出すテープ引出口と、
前記テープ引出口から前記装置外に引き出された前記テープの先端部を前記移動経路内に挿入するテープ挿入部と、
前記テープ挿入部から挿入された前記テープの先端部と、前記移動経路内に位置する前記テープの中間部とが重なったオーバーラップ部分を一体化する接着手段と、
前記オーバーラップ部分よりもテープの移動方向上流側の前記移動経路内に位置するテープ部分を切断する切断手段と、
を備えたことを特徴とする樹木径測定装置。
【請求項２】
前記テープは熱可塑性樹脂からなり、前記接着手段は熱溶着手段であることを特徴とする請求項１に記載の樹木径測定装置。
【請求項３】
前記切断手段により切断された前記テープの先端を前記テープ引出口まで搬送するテープ搬送手段を備えたことを特徴とする請求項１又は２に記載の樹木径測定装置。
【請求項４】
前記測定手段が測定する前記テープ長を確定する確定ボタンを備え、
前記確定ボタンが押下されたとき、前記演算手段による前記樹木径の算出処理と、前記記憶手段への前記樹木径と前記樹種の記憶処理と、前記接着手段による前記オーバーラップ部分の接着処理と、前記切断手段による前記テープ部分の切断処理と、を実行することを特徴とする請求項１乃至３の何れか一項に記載の樹木径測定装置。
【発明の詳細な説明】
【技術分野】
【０００１】
本発明は、樹木の直径を測定する樹木径測定器に関し、特に、樹木の直径を測定して記録する作業と、樹木に調査済みの印をつける作業とを一度に行いうる樹木径測定装置に関する。
【背景技術】
【０００２】
架空送電線においては、他物体との絶縁を確保するため、他物体との間で確保するべき離隔が電圧に応じて定められている。架空送電線の直下にある樹木が成長して送電線に接近すると、送電線から樹木の枝を伝って放電し、停電事故を引き起こす虞がある。このような事故を防止するため、従来、送電線に必要以上に接近し、又は接触する可能性のある樹木を事前に伐採する作業が実施される。
樹木の伐採に当たっては、伐採対象の樹木が生育する土地の所有者に対して伐採補償を行う。補償額の算定には樹木の種類、樹木の胸高直径、及び樹木の本数等のデータが必要であるため、作業員が対象となる区画に入り、樹木調査を実施する。
樹木調査では、対象樹木の樹種を判別すると共にノギスやπ尺メジャーなどを用いて胸高直径を測定する作業と、調査結果を調査用紙に書き込む作業を、１名又は２名の作業員によって実施する。
【０００３】
上記樹木調査を簡易にするため、特許文献１には、樹木径の測定と記録を同時に行いうる樹木径測定器が記載されている。
この樹木径測定器は、先端からの長さに応じたπ尺値を示すバーコードが長手方向に順次付されたテープと、テープのバーコードを読み取るバーコードリーダーと、樹種を入力するボタンと確定ボタンとを備えている。π尺値はテープを樹木の外周に巻きつけたときの樹木径を示すものである。
テープを樹木径測定器から引き出して樹木の外周に巻付けて確定ボタンを押すと、樹木径測定器は、テープのバーコードを読み取って、予め入力された樹種と対応づけて内部に設けたＥＥＰＲＯＭに記憶する。
この発明によれば、樹木径の測定と記録が一台の装置で実施できるため、樹木の調査作業が簡略化される。
【先行技術文献】
【特許文献】
【０００４】
【特許文献１】特開２００８−２５６６０９公報
【発明の概要】
【発明が解決しようとする課題】
【０００５】
ところで、上記樹木調査においては、調査が終了した対象樹木に対して調査済みであることを示すマーキングを施す。マーキングにはラッカースプレーやビニール紐等が用いられる。前者の場合は作業が簡便になるが、環境に配慮するという観点から敬遠されることがある。後者はビニール紐を事後に回収可能である点で優れているが、ビニール紐を樹木に巻き付けて解けないように縛り、カッターナイフ等で切断する必要があり、作業が非常に煩雑である。
本発明は上述の事情に鑑みてなされたものであり、樹木径の測定と記録、及び樹木に対して調査済みの印をつける作業を一度に行いうる樹木径測定器を提供することを目的とする。
【課題を解決するための手段】
【０００６】
上記の課題を解決するために、請求項１に記載の発明は、樹木の直径を測定する樹木径測定装置であって、前記樹木の幹に巻付ける帯状のテープを収容するテープ収容部と、前記テープ収容部から引き出されるテープ長を測定する測定手段と、前記測定手段が測定したテープ長から樹木径を算出する演算手段と、測定対象となる樹木の樹種を入力する入力手段と、前記樹木径と前記樹種とを対応づけて記憶する記憶手段と、前記テープ収容部から引き出された前記テープが移動する移動経路と、前記移動経路のテープ移動方向下流端に配置され、装置外に前記テープを引き出すテープ引出口と、前記テープ引出口から前記装置外に引き出された前記テープの先端部を前記移動経路内に挿入するテープ挿入部と、前記テープ挿入部から挿入された前記テープの先端部と、前記移動経路内に位置する前記テープの中間部とが重なったオーバーラップ部分を一体化する接着手段と、前記オーバーラップ部分よりもテープの移動方向上流側の前記移動経路内に位置するテープ部分を切断する切断手段と、を備えたことを特徴とする。
【０００７】
請求項２に記載の発明は、前記テープは熱可塑性樹脂からなり、前記接着手段は熱溶着手段であることを特徴とする。
請求項３に記載の発明は、前記切断手段により切断された前記テープの先端を前記テープ引出口まで搬送するテープ搬送手段を備えたことを特徴とする。
請求項４に記載の発明は、前記測定手段が測定する前記テープ長を確定する確定ボタンを備え、前記確定ボタンが押下されたとき、前記演算手段による前記樹木径の算出処理と、前記記憶手段への前記樹木径と前記樹種の記憶処理と、前記接着手段による前記オーバーラップ部分の接着処理と、前記切断手段による前記テープ部分の切断処理と、を実行することを特徴とする。
【発明の効果】
【０００８】
本発明においては、テープ収容部から引き出され、樹木の幹に巻付けられたテープの長さを測定手段により測定する。測定手段により測定されたテープ長から樹木径を算出して樹種と対応づけて記憶手段に記憶させるので、樹木径の測定と記録が可能である。また、樹木径の測定に使用したテープは、樹木の幹に巻付けられた状態のままリング状に接着して切断をするので、調査済みのマーキングとしても使用される。従って、樹木径の測定と記録、及び樹木に対して調査済みの印をつける作業を一度に行うことが可能となる。
【図面の簡単な説明】
【０００９】
【図１】本発明の一実施形態に係る樹木径測定装置を示す図であり、（ａ）は上面図であり、（ｂ）は（ａ）のＡ−Ａ断面図である。
【図２】蓋部材及び蓋部材が取り外された樹木径測定装置の上面図である。
【図３】測定装置の構成を示すブロック図である。
【図４】樹木径測定装置の動作を示すメインフローチャートである。
【図５】サブルーチン「入力処理」を示すフローチャートである。
【図６】サブルーチン「演算処理」を示すフローチャートである。
【図７】サブルーチン「テープ処理」を示すフローチャートである。
【図８】データの構成例を示す図である。
【発明を実施するための形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１１】
以下、本発明の実施形態を詳細に説明する。
本発明の一実施形態に係る樹木径測定装置について図１、及び図２に基づいて説明する。図１は、本発明の一実施形態に係る樹木径測定装置を示す図であり、（ａ）は上面図であり、（ｂ）は（ａ）のＡ−Ａ断面図である。図２は、蓋部材及び蓋部材が取り外された樹木径測定装置の上面図である。
本実施形態に係る樹木径測定装置は、樹木径を測定する際に樹木の幹に巻付けるテープと、樹木に調査済みの印をつけるテープとを共用することにより、両作業を一度に行いうるようにした点に特徴がある。
【００１２】
樹木径測定装置（以下単に「測定装置」という）１は、樹木の幹に巻付けるテープ１０を収容するテープ収容部２１と、テープ収容部２１から引き出されたテープ１０が移動する移動経路３０と、移動経路３０内を移動するテープ１０の長さを測定する測定ローラ対３３ａを備えた測定部３３（測定手段）と、移動経路３０のテープ移動方向下流端に配置されて測定装置１外にテープ１０を引き出すテープ引出口３１と、テープ引出口３１から測定装置１外に引き出されたテープ１０の先端部１０ａを移動経路３０内に挿入するテープ挿入部４９と、テープ挿入部４９から挿入されたテープ１０の先端部１０ａと、移動経路３０内に位置するテープ１０の中間部とが重なったオーバーラップ部分１０ｂを一体化する熱溶着部４５（熱接着手段）と、オーバーラップ部分１０ｂよりもテープ１０の移動方向上流側の移動経路３０内に位置するテープ部分を切断する切断部３９（切断手段）とを備える。
また、測定装置１は、切断部３９により切断されたテープ１０の先端をテープ引出口３１まで搬送する搬送部３５（テープ搬送手段）を備えている。
【００１３】
テープ１０は調査対象の樹木Ｗの外周に巻付けられることにより、当該樹木の外径の測定に利用されると同時に、当該樹木が調査済みであることを示す印としても使用される。
長尺、帯状のテープ１０は、円筒状の巻芯１１に巻回されることにより１巻のテープロール１３を構成する。テープロール１３はテープ収容部２１に着脱自在に収容される。テープ１０を使い切った場合は、残った巻芯１１を新規なテープロール１３と交換すればよい。テープ１０は熱可塑性樹脂から構成されており、テープ１０の任意の部分同士は、熱溶着により接着一体化する。
【００１４】
テープ収容部２１は、テープロール１３を収容可能な空間を有し、テープ収容部２１のテープ保持面２３からは、テープロール１３の巻芯１１を回転自在に支持する支持部材２５が突出している。支持部材２５は巻芯１１を回転自在に支持し、巻芯１１からのテープ１０の引き出しを許容する。
テープ収容部２１から引き出されたテープ１０は、移動経路３０を経由してテープ引出口３１まで移動する。テープ引出口３１は、測定装置１外にテープ１０を引き出すための部位であり、移動経路３０のテープ移動方向下流端に配置される。
移動経路３０内には、上流から順にテープ１０の長さを測定する測定部３３と、テープ１０を搬送する複数の搬送ローラ対３７を備えた搬送部３５と、テープ１０を切断する切断部３９と、テープ１０を熱溶着する熱溶着部４５と、が配置される。また、移動経路３０内にテープ１０の先端部１０ａを挿入するテープ挿入部４９は、切断部３９と熱溶着部４５との間に配置されている。熱溶着部４５が配置された移動経路３０部分は、上面が開放した溝状に形成されている。
【００１５】
測定部３３はテープ収容部２１よりもテープ移動方向の直下流の移動経路３０内に配置されている。測定ローラ対３３ａの間にテープ１０を挟んで挟圧することにより、テープ１０の引き出しに伴って回転する。測定ローラ対３３ａを構成する一方のローラには不図示のロータリーエンコーダが設けられている。
【００１６】
搬送部３５は、カッター４１により切断されたテープ１０の先端部を、下流のテープ引出口３１まで搬送するための搬送力を与える部位である。搬送部３５により搬送されることでテープ１０の先端はテープ引出口３１から装置外に露出し、作業員がテープの先端をつまんでテープを引き出し、樹木Ｗに巻付けることが可能となる。搬送部３５を構成する複数の搬送ローラ対３７のうち少なくとも最下流に配置された１つのローラは不図示の駆動モータによって駆動回転する駆動ローラ３７ａであり、他のローラはテープの移動に伴って回転する従動ローラである。駆動ローラ３７ａとこれに対向する従動ローラとの間でテープ１０を挟圧することにより、テープ１０に搬送力を与える。
【００１７】
切断部３９は、移動経路３０を間に挟んで対向配置されたカッター４１と刃受４３とを備えている。テープ１０を切断するカッター４１は、移動経路３０から退避した退避位置（実線で示す）と、移動経路３０を超えて刃受４３側に突出した切断位置（破線で示す）との間を出没するように、不図示のカッター駆動部９５（図３参照）により駆動される。カッター４１は、切断位置に突出したとき切断部３９内に位置するテープ部分１０ｃを切断する。
【００１８】
熱溶着部４５は、移動経路３０を間に挟んで対向配置された固定加熱板４７ａと可動加熱板４７ｂとを備える。両加熱板４７ａ、４７ｂは、不図示の加熱部９９（図３参照）により、テープ１０を溶着可能な温度にまで加熱される。可動加熱板４７ｂは、移動経路３０から退避した退避位置（実線で示す）と、両加熱板４７ａ、４７ｂの間に挟んだ２枚のテープ１０を熱溶着する溶着位置（破線で示す）との間を進退するように、不図示の加熱板駆動部９７（図３参照）により駆動される。加熱手段によって加熱された可動加熱板４７ｂを、加熱手段によって加熱された固定加熱板４７ａに押し付けることで、両加熱板４７ａ、４７ｂの間に挟んだ２枚のテープ１０を熱溶着する。
【００１９】
テープ挿入部４９は、テープ１０の先端部１０ａを、測定装置１の外部から移動経路３０内に挿入するための部位である。テープ挿入部４９は、テープ１０の先端部１０ａを切断部３９側から熱溶着部４５内に導入するように、移動経路３０に対して斜めに接続されている。また、テープ挿入部４９は、上面が開放した溝状に形成されている。
【００２０】
測定装置１は、テープ収容部２１、測定部３３、及び搬送部３５を常時においてカバーする蓋部材６０を備える。蓋部材６０は、装置の各部を制御する制御部、電源（例えば電池）、ロータリーエンコーダ、各部を駆動するモータ類、ＳＤカード等の記憶メディア等を収容した本体２に対して着脱自在に構成されている。
蓋部材６０は、テープロール１３のテープ残量を視認可能な透明な窓部６１を備えている。なお、蓋部材６０の全体を透明にすることにより、窓部６１を省略することができる。蓋部材６０は本体２に装着された状態で、少なくとも切断部３９、テープ挿入部４９、熱溶着部４５、テープ引出口３１を含む移動経路３０を外部に露出させる。また、切断部３９よりも移動経路３０の下流側は、熱溶着部４５においてリング状に接着されたテープ１０を取り出し可能にするために、テープ１０を搬送方向と直交する幅方向（測定装置１の上下方向、図２中紙面に対して垂直な方向）に出し入れ可能に構成されている。
測定装置１は、本体２の上面適所に、測定装置１を操作する操作部７０（入力手段）及び測定装置１の状態を表示する表示部８０を備えている。
【００２１】
操作部７０は、電源ボタン７１、ＩＤ選択ボタン７２、樹種選択ボタン７３、及び決定ボタン７４（確定ボタン）を備えている。
電源ボタン７１は、測定装置１の電源をオン／オフする。
ＩＤ選択ボタン７２は、ＩＤを入力するボタンである。ここで、ＩＤは樹木径を調査するべき対象区画を他の対象区画から識別するために、当該区画に付されたユニークな識別用の符号である。例えばＩＤには整数を用いることができる。ＩＤに整数値を用いた場合、ＩＤ選択ボタン７２は一例として、現在選択されているＩＤに１を加算する加算ボタン７２ａと、現在選択されているＩＤから１を減算する減算ボタン７２ｂの組から構成できる。
樹種選択ボタン７３は、樹種に１対１で対応づけられたボタンである。何れかのボタンが押下されたときに、対応する樹種が選択される。
決定ボタン７４は、テープ収容部２１から引き出されたテープ１０の長さを確定すると共に、テープ１０の熱溶着、切断、及び送り出しを実行するためのボタンである。
【００２２】
表示部８０は現在の設定や、測定結果などを表示する部位であり、例えばモノクロ液晶画面から構成できる。表示部８０は、選択されているＩＤを表示するＩＤ表示部８１、選択されている樹種を表示する樹種表示部８２、樹木径が測定された樹種の夫々の本数を表示する本数表示部８３、測定した樹木の直径を表示する樹木径表示部８４等を備えている。
樹種表示部８２には選択可能な樹種と、選択されている樹種を示す逆三角形状のアイコン８２ａが表示される。例えば、樹種表示部８２には選択可能な樹種として「松」、「杉」、「桧」、上記樹種以外の樹種を意味する「他」、枯れ木を意味する「枯」等が表示される。また、各樹種の直上にアイコン８２ａが表示されている場合は、当該樹種が選択されていることを意味する。
【００２３】
〔ブロック図〕
図３は、測定装置の構成を示すブロック図である。測定装置１は、装置の各部を制御する制御部９０（演算手段）を備えている。
制御部９０は、測定部３３に設けたロータリーエンコーダのパルス出力を計数するカウント部９１、搬送部３５の駆動ローラ３７ａを駆動するローラ駆動部９３、切断部３９のカッター４１を駆動するカッター駆動部９５、熱溶着部４５の可動加熱板４７ｂを駆動する加熱板駆動部９７及び加熱板を加熱する加熱部９９等を備えている。これらの各部の動作に必要な電力を供給する電源１０１は、例えば本体２の適所に収容された乾電池等である。
【００２４】
カウント部９１は、測定部３３のロータリーエンコーダからのオンオフ信号をカウントすることにより、テープ収容部２１から引き出されたテープ１０の長さをカウントする。
ローラ駆動部９３は、駆動ローラ３７ａがテープを搬送するように、駆動ローラ３７ａを駆動する不図示の駆動モータを駆動制御する。
カッター駆動部９５は、切断部３９を構成するカッター４１が退避位置と切断位置（図２参照）との間で出没するように、カッター４１を駆動する不図示の駆動モータを駆動制御する。
加熱板駆動部９７と加熱部９９は、熱溶着部４５の動作を制御する。加熱板駆動部９７は、可動加熱板４７ｂが退避位置と溶着位置（図２参照）との間で出没するように、可動加熱板４７ｂを駆動する不図示のモータを駆動制御する。加熱部９９は、可動加熱板４７ｂ及び固定加熱板４７ａが、テープ１０を熱溶着可能な温度になるように加熱制御する。
【００２５】
制御部９０は、ＲＯＭ、ＲＡＭ、及びＣＰＵを備えたマイクロコンピュータ装置から構成できる。ＲＯＭからＯＳを読み出してＲＡＭ上に展開してＯＳを起動し、ＯＳの管理下において、ＲＯＭからプログラムを読み出して、各種の処理を実行する。
制御部９０を構成するカウント部９１、ローラ駆動部９３、カッター駆動部９５、加熱板駆動部９７、及び加熱部９９は、ＲＯＭ内に記憶されたプログラムモジュールとして実施できる。
【００２６】
また、測定装置１は、整理番号、樹種、樹木径等を対応づけて記憶する記憶部１１０を備える。記憶部１１０は、測定装置１に内蔵されたフラッシュメモリや、メディアスロット内に挿入されたＳＤカード等の記録メディア１１１の一方又は双方を備えて構成することができる。
【００２７】
〔データの構成例〕
記憶部１１０に記憶されるデータの構成例について説明する。図８は、データの構成例を示す図である。
データは、ＩＤをキーとして、樹種と樹木の直径（樹木径）が関連付けて登録される。
項目「ＩＤ」には、ＩＤが登録される。ＩＤは、樹木径を調査するべき一つの対象区画を他の対象区画から識別するためのユニークな識別符号である。例えばＩＤは地権者ごとに与えられた個別の番号や、地権者ごとに与えられた個別の番号にさらに枝番を付したものなどが用いられる。なお、本実施形態においては、ＩＤは整数であるとして説明する。
項目「樹種」には、「松」「杉」「桧」「その他」「枯木」の何れかが登録される。この項目には、操作部７０の樹種選択ボタン７３によって、複数の樹種候補から選択された１つの樹種が登録される。
項目「直径」には、樹木の直径が登録される。樹木の直径は、テープ収容部２１から引き出されたテープ長（樹木の外周長に等しい）から演算される。端数は四捨五入処理される。
項目「本数」には、同一ＩＤ、同一樹種、及び同一直径の樹木の本数が登録される。
なお、ここに挙げた項目は一例であって、その他の項目を有していてもよい。
【００２８】
〔フローチャート〕
樹木径測定装置の動作について、フローチャートに基づいて説明する。
＜メインフロー＞
図４は、樹木径測定装置の動作を示すメインフローチャートである。
測定装置１は、電源ボタン７１のオンにより動作を開始する。
ステップＳ１において、カウント部９１は、測定部３３のロータリーエンコーダから出力されるオンオフ信号の計数を開始する。ロータリーエンコーダは作業員の手動によるテープ１０の引き出し動作に伴って回転し、回転数に応じたオンオフ信号を出力する。カウント部９１は、テープ長を確定する旨の信号が入力されるまで、言い換えれば図５のステップＳ２１の決定ボタン７４が押下されるまで、ロータリーエンコーダからの信号をカウントする。
ステップＳ２においては、サブルーチン「入力処理」が実行される。
ステップＳ３においては、サブルーチン「演算処理」が実行される。
ステップＳ４においては、サブルーチン「テープ処理」が実行される。
【００２９】
以下、各サブルーチンについて詳細に説明する。
＜サブルーチン「入力処理」＞
図５は、サブルーチン「入力処理」を示すフローチャートである。サブルーチン「入力処理」は、操作部から入力されるＩＤと樹種の処理に関するものである。
ステップＳ２１において制御部９０は、決定ボタン７４が押下されたか否かを確認する。押下されている場合（ステップＳ２１にてＹＥＳ）は、処理を終了する。押下されていない場合（ステップＳ２１にてＮＯ）は、ステップＳ２２の処理を実行する。
ステップＳ２２において制御部９０は、ＩＤ選択ボタン７２（７２ａ、７２ｂ）の何れかが押下されたか否かを確認する。押下されなかった場合（ステップＳ２２にてＮＯ）は、ステップＳ２１の処理を実行する。押下された場合（ステップＳ２２にてＹＥＳ）は、ステップＳ２３の処理を実行する。
【００３０】
ステップＳ２３において制御部９０は、押下されたＩＤ選択ボタン７２（７２ａ、７２ｂ）に応じて、選択されたＩＤを表示部８０に表示させる。具体的には、制御部９０は、ＩＤ選択ボタン７２のうち加算ボタン７２ａが押下された場合は現在のＩＤに１を加算し、減算ボタン７２ｂが押下された場合は現在選択のＩＤから１を減算したものを、新たに選択されたＩＤとする。制御部９０は、表示部８０が新たに選択されたＩＤを表示するように制御する。
【００３１】
ステップＳ２４において制御部９０は、新たに選択されたＩＤをＲＡＭ内に一時的に記憶させる。
ステップＳ２５において制御部９０は、樹種選択ボタン７３の何れかが押下されたか否かを確認する。押下されなかった場合（ステップＳ２５にてＮＯ）は、ステップＳ２１の処理を実行する。押下された場合（ステップＳ２２にてＹＥＳ）は、ステップＳ２６の処理を実行する。
ステップＳ２６において制御部９０は、押下された樹種選択ボタン７３に対応する樹種が選択されたことを示す表示を表示部８０に表示させる。具体的には、制御部９０は、押下された樹種選択ボタン７３に対応する樹種を、新たに選択された樹種と認識する。制御部９０は、表示部８０が樹種表示部８２の樹種名の上部に、当該樹種が選択されたことを示す「▼」マーク（アイコン８２ａ）を表示するように制御する。
ステップＳ２７において制御部９０は、新たに選択された樹種をＲＡＭ内に一時的に記憶させる。
【００３２】
＜サブルーチン「演算処理」＞
図６は、サブルーチン「演算処理」を示すフローチャートである。サブルーチン「演算処理」は、樹木径を確定して記憶手段に記憶させる処理に関するものである。この処理は、サブルーチン「入力処理」のステップＳ２１において、決定ボタン７４が押下されることを契機として実行される。
ステップＳ３１において、カウント部９１は、測定部３３のロータリーエンコーダから出力されるオンオフ信号の計数値に基づいて、テープ収容部から引き出されたテープの長さを確定する。
ステップＳ３２において制御部９０は、カウント部９１が出力したテープ長をπで除して、樹木径を算出する。
ステップＳ３３において制御部９０は、表示部８０が、算出された樹木径を表示するように制御する。
【００３３】
ステップＳ３４において制御部９０は、ＩＤに対して樹種と樹木径を対応づけて記憶手段に記憶させる。即ち、制御部９０は、ＲＡＭに一時的に記憶されたＩＤと樹種とを読み出して、ＩＤに樹種と算出された樹木径とを対応づけて記憶部１１０に記憶させる。このとき、同一ＩＤ、同一樹種、及び同一直径の樹木がある場合は、当該樹木のデータに関して項目「本数」を１加算して記憶する。
ステップＳ３５において、カウント部９１は計数値にゼロを入力することにより計数値をリセットする。
【００３４】
＜サブルーチン「テープ処理」＞
図７は、サブルーチン「テープ処理」を示すフローチャートである。サブルーチン「テープ処理」は、テープの切断等の処理に関するものである。この処理もサブルーチン「演算処理」と同様に、サブルーチン「入力処理」のステップＳ２１において、決定ボタン７４が押下されることを契機として実行される。
ステップＳ４１において加熱部９９は、可動加熱板４７ｂ及び固定加熱板４７ａを、テープを溶融させる温度にまで加熱する。
ステップＳ４２において加熱板駆動部９７は、可動加熱板４７ｂが溶着位置に移動するように不図示のモータを制御する。可動加熱板４７ｂは加熱板駆動部９７によって、テープ１０の溶着に必要な所定の時間だけ、溶着位置に維持、固定される。
【００３５】
ステップＳ４３においてカッター駆動部９５は、カッター４１が切断位置に移動するように制御する。カッター４１はテープ１０を切断する。
ステップＳ４４において加熱板駆動部９７は、可動加熱板４７ｂが退避位置に移動するように不図示のモータを制御する。
ステップＳ４５においてカッター駆動部９５は、カッター４１が退避位置に移動するように不図示のモータを制御する。
ステップＳ４６においてローラ駆動部９３は、駆動ローラ３７ａが、切断されたテープの先端を切断部３９からテープ引出口３１まで移動させるように制御する。
【００３６】
〔使用方法〕
以上説明した測定装置の使用方法について説明する。
まず、作業員は、電源ボタン７１を押下して、測定装置１の電源をオンにする。カウント部９１が測定部３３のロータリーエンコーダの出力の計数を開始する。
作業員は、操作部７０のＩＤ選択ボタン７２を操作してＩＤを選択し、また樹種選択ボタン７３を操作して樹種を選択する。その後、作業員はテープ引出口３１より装置外に露出しているテープ１０の先端部１０ａをつまんで装置外に引き出すと共に、直径を測定しようとする樹木Ｗの幹回りにテープ１０を巻付ける。
作業員は、テープ１０の先端部１０ａをテープ挿入部４９から移動経路３０内に挿入する。テープ挿入部４９は、移動経路３０に対して上流側から下流側に先端部１０ａが挿入されるように傾斜して配置されているので、先端部１０ａは、テープ挿入部４９から熱溶着部４５内に挿入される。
【００３７】
この状態にて、操作部７０の決定ボタン７４を押下すると、固定加熱板４７ａと可動加熱板４７ｂがテープ１０を溶着可能な温度にまで加熱されると共に、可動加熱板４７ｂが溶着位置に移動して、テープ１０のオーバーラップ部分１０ｂを間に挟んだ状態にて、固定加熱板４７ａに圧接し、オーバーラップ部分１０ｂが溶着される。テープ１０の溶着後、可動加熱板４７ｂは退避位置に移動する。また、切断部３９のカッター４１が切断位置に移動して、オーバーラップ部分１０ｂよりも上流側のテープ部分１０ｃを切断する。また、テープ１０の切断後、カッター４１は退避位置に移動する。なお、テープ部分１０ｃはテープ挿入部４９よりもテープの移動方向上流側に位置するので、リング状となったテープ部分は切断されない。
【００３８】
また、操作部７０の決定ボタン７４を押下されたことで、テープ長が確定されて樹木径が算出される。また、算出された樹木径は、ＩＤと樹種とに対応づけられた状態にて、記憶部１１０に記憶される。
作業員は、リング状となったテープ１０部分をテープの幅方向に移動させることにより測定装置１から離脱させる。
最後に搬送部３５は、切断されたテープの先端をテープ引出口３１まで搬送する。この動作により、テープ１０の先端部１０ａは、作業員がテープの先端部をつまめる程度にテープ引出口３１より装置外部に突出する。
【００３９】
〔効果〕
以上のように、本実施形態によれば、テープ収容部から引き出され、樹木の幹に巻付けられたテープの長さを測定手段により測定する。測定手段により測定されたテープ長から樹木径を算出して樹種と対応づけて記憶手段に記憶させるので、樹木径の測定と記録が可能である。また、樹木径の測定に使用したテープは、樹木の幹に巻付けられた状態のままリング状に接着して切断をするので、調査済みのマーキングとしても使用される。従って、樹木径の測定と記録、及び樹木に対して調査済みの印をつける作業を一度に行うことが可能となる。
なお、テープ１０のオーバーラップ部分１０ｂを接着する接着手段として熱溶着部４５の代わりに、針を使用しないタイプのステイプラーを利用することも可能である。加熱板４７ａ、４７ｂを加熱する電力が不要となるため、電力消費量を低減できる。
【００４０】
〔本発明の実施態様と作用、効果のまとめ〕
本発明は夫々以下の態様にて実施できる。
＜第一の実施態様＞
本態様は、樹木Ｗの直径を測定する樹木径測定装置１であって、樹木の幹に巻付ける帯状のテープ１０を収容するテープ収容部２１と、テープ収容部から引き出されるテープ長を測定する測定手段（測定部３３）と、測定手段が測定したテープ長から樹木径を算出する演算手段（制御部９０）と、測定対象となる樹木の樹種を入力する入力手段（操作部７０）と、樹木径と樹種とを対応づけて記憶する記憶手段（記憶部１１０）と、テープ収容部から引き出されたテープが移動する移動経路３０と、移動経路のテープ移動方向下流端に配置され、装置外にテープを引き出すテープ引出口３１と、テープ引出口から装置外に引き出されたテープの先端部１０ａを移動経路内に挿入するテープ挿入部４９と、テープ挿入部から挿入されたテープの先端部と、移動経路内に位置するテープの中間部とが重なったオーバーラップ部分１０ｂを一体化する接着手段（熱溶着部４５）と、オーバーラップ部分よりもテープの移動方向上流側の移動経路内に位置するテープ部分１０ｃを切断する切断手段（切断部３９）と、を備えたことを特徴とする。
本態様によれば、テープを、樹木径を測定する手段と、樹木径が測定済みであることを示すマーキング手段として兼用するので、樹木径の測定と樹木に対して調査済みの印をつける作業を一度に行うことが可能となる。
【００４１】
＜第二の実施態様＞
本態様に係る樹木径測定装置１において、テープ１０は熱可塑性樹脂からなり、接着手段は熱溶着手段（熱溶着部４５）であることを特徴とする。
テープを樹木に巻き付けて固定する際にテープを縛る必要がないので、作業が簡略化される。
【００４２】
＜第三の実施態様＞
本態様に係る樹木径測定装置１は、切断手段（切断部３９）により切断されたテープ１０の先端をテープ引出口３１まで搬送するテープ搬送手段（搬送部３５）を備えたことを特徴とする。
作業員は、テープ引出口まで搬送されたテープの先端部をつまんでテープを引き出し、樹木Ｗに巻付けることが可能となる。
【００４３】
＜第四の実施態様＞
本態様に係る樹木径測定装置１は、測定手段（測定部３３）が測定するテープ長を確定する確定ボタン（決定ボタン７４）を備え、確定ボタンが押下されたとき、演算手段（制御部９０）による樹木径の算出処理と、記憶手段（記憶部１１０）への樹木径と樹種の記憶処理と、接着手段（熱溶着部４５）によるオーバーラップ部分１０ｂの接着処理と、切断手段（切断部３９）によるテープ部分１０ｃの切断処理と、を実行することを特徴とする。
確定ボタンの操作を契機として、樹木径の測定と記録、及び樹木に対して調査済みの印をつけるために必要な動作が自動的に実行されるので、作業を簡略化できる。
【符号の説明】
【００４４】
１…樹木径測定装置、２…本体、１０…テープ、１０ａ…先端部、１０ｂ…オーバーラップ部分、１０ｃ…テープ部分、１１…巻芯、１３…テープロール、２１…テープ収容部、２３…テープ保持面、２５…支持部材、３０…移動経路、３１…テープ引出口、３３…測定部、３３ａ…測定ローラ対、３５…搬送部、３７…搬送ローラ対、３７ａ…駆動ローラ、３９…切断部、４１…カッター、４３…刃受、４５…熱溶着部、４７ａ…固定加熱板、４７ｂ…可動加熱板、４９…テープ挿入部、６０…蓋部材、６１…窓部、７０…操作部、７１…電源ボタン、７２…ＩＤ選択ボタン、７２ａ…加算ボタン、７２ｂ…減算ボタン、７３…樹種選択ボタン、７４…決定ボタン、８０…表示部、８１…ＩＤ表示部、８２…樹種表示部、８２ａ…アイコン、８３…本数表示部、８４…樹木径表示部、９０…制御部、９１…カウント部、９３…ローラ駆動部、９５…カッター駆動部、９７…加熱板駆動部、９９…加熱部、１１０…記憶部、１１１…記録メディア
【図１】
2017075908.tif 000003
【図２】
2017075908.tif 000004
【図３】
2017075908.tif 000005
【図４】
2017075908.tif 000006
【図５】
2017075908.tif 000007
【図６】
2017075908.tif 000008
【図７】
2017075908.tif 000009
【図８】
2017075908.tif 000010